【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
液体の貯蔵および分配のためのバッグインドラム容器であって、
内部容積を有する実質的に剛性のオーバーパックと、前記内部容積に取り付けられ、液体を充填することができる、可撓性フィルム材料からなる３次元の閉鎖ライナと、を備える容器。
【請求項２】
前記オーバーパックは、実質的に矩形の平行六面体構造を有する、請求項１に記載の容器。
【請求項３】
前記オーバーパックは、前記実質的に矩形の平行六面体構造を画定する壁と床とを備える、請求項２に記載の容器。
【請求項４】
前記ライナは、該ライナに収納される液体に汚染物質を導入する可能性のある添加物を含まない高分子フィルム材料から形成される、請求項３に記載の容器。
【請求項５】
前記高分子フィルム材料は、ポリエチレン、ポリテトラフルオロエチレン、ポリプロピレン、ポリウレタン、ポリ塩化ビニリデン、ポリ塩化ビニル、ポリアセタール、ポリスチレン、ポリアクリロニトリルおよびポリブチレンからなる群から選択される、請求項４に記載の容器。
【請求項６】
前記高分子フィルム材料は、添加物を含まない、請求項５に記載の容器。
【請求項７】
前記高分子フィルム材料は、ポリエチレンフィルム材料を含む請求項６に記載の容器。
【請求項８】
前記ライナは、液体が充填されるとヘッドスペースがゼロの構造を有する、請求項４に記載の容器。
【請求項９】
前記ライナの厚さが、約０．１２５インチ未満である、請求項４に記載の容器。
【請求項１０】
前記ライナの厚さが、約０．００５インチ〜約０．０３０インチの範囲である、請求項４に記載の容器。
【請求項１１】
前記ライナは、前記オーバーパックから取外し可能であり、前記オーバーパックは、複数の容器を含む垂直に積み重ねられたアレイを形成するように他の同様の容器と垂直に積み重ね可能であり、前記垂直に積み重ねられたアレイの高さが、該アレイの個々の容器の高さの合計より低い、請求項１に記載の容器。
【請求項１２】
前記オーバーパックは、対応する容器の連結部材と嵌合係合可能である連結部材を有し、それにより複数の容器が互いに横方向に連結されて、横方向に延在する容器のアレイを構成することができる、請求項１１に記載の容器。
【請求項１３】
前記ライナに流体をさらに含む、請求項４に記載の容器。
【請求項１４】
前記ライナは、ヘッドスペースがゼロの構造を有する、請求項１３に記載の容器。
【請求項１５】
前記液体は、半導体製造用の試薬を含む、請求項１４に記載の容器。
【請求項１６】
前記液体は、化学機械平坦化用組成物を含む、請求項１５に記載の容器。
【請求項１７】
前記ライナは、さらに攪拌要素を含む、請求項１５に記載の容器。
【請求項１８】
前記攪拌要素は、当該容器の外部で遠隔に作動可能である、請求項１７に記載の容器。
【請求項１９】
前記攪拌要素は、磁気攪拌要素を含む、請求項１８に記載の容器。
【請求項２０】
前記オーバーパックは、対向して面する前壁および後壁と、対向して面する側壁と、床部材と、を有する容部を備え、該前壁、後壁および側壁が、下方にかつ内部方向にテーパ加工される、請求項４に記載の容器。
【請求項２１】
前記テーパ加工された前壁、後壁および側壁の各々が、１５°未満のテーパ角度でテーパ加工される、請求項２０に記載の容器。
【請求項２２】
前記テーパ角度は、約２°と約１２°との間である、請求項２１に記載の容器。
【請求項２３】
前記容部と嵌合可能なデッキ部材をさらに備える、請求項２２に記載の容器。
【請求項２４】
当該容器および／またはその中の液体に関する情報を提供する電子要素をさらに備える、請求項２０に記載の容器。
【請求項２５】
前記電子要素は、読出し書込み要素を含む、請求項２４に記載の容器。
【請求項２６】
前記読出し書込み要素が、前記ライナに配設される、または埋設される、請求項２５に記載の容器。
【請求項２７】
前記読出し書込み要素は、前記オーバーパックに配設される、または埋設される、請求項２５に記載の容器。
【請求項２８】
前記オーバーパックの容部と係合可能なデッキ部材をさらに備える、請求項２０に記載の容器。
【請求項２９】
前記デッキ部材は、前記ライナへの流体の出し入れのために、該ライナにコネクタを結合するためのポート開口を備える、請求項２８に記載の容器。
【請求項３０】
前記ライナを包囲する前記内部容積に対する流体の出し入れのために、前記デッキ部材に第２のポート開口を備える、請求項２９に記載の容器。
【請求項３１】
前記ライナは、該ライナへの流体の出し入れのためのポート開口を備える、請求項２０に記載の容器。
【請求項３２】
前記ライナは、該ライナへの流体の出し入れのための２つのポート開口を備える、請求項３１に記載の容器。
【請求項３３】
前記ポート開口は、キャップによって閉鎖される、請求項３１に記載の容器。
【請求項３４】
前記キャップは、前記ライナから取外し可能である、請求項３３に記載の容器。
【請求項３５】
前記容部は、高分子材料から形成される、請求項２０に記載の容器。
【請求項３６】
前記高分子材料は、ポリエチレン、ポリテトラフルオロエチレン、ポリプロピレン、ポリウレタン、ポリ塩化ビニリデン、ポリ塩化ビニル、ポリアセタール、ポリスチレン、ポリアクリロニトリルおよびポリブチレンからなる群から選択される材料を含む、請求項３５に記載の容器。
【請求項３７】
前記高分子材料は、ポリエチレンを含む、請求項３６に記載の容器。
【請求項３８】
高純度液体を貯蔵し分配するためのバッグインドラム容器であって、内部容積を有する実質的に剛性のオーバーパックと、該内部容積に取り付けられ液体を充填することができる、可撓性フィルム材料からなる３次元の閉鎖ライナと、を備え、前記オーバーパックは、対向して面する前壁および後壁ならびに対向して面する側壁と、床部材と、を有する実質的に剛性の容部を備え、該前壁、後壁および側壁は、下方にテーパ加工され、前記オーバーパックは、対応する容器の垂直に積み重ねられたアレイでの、当該容器の少なくとも該実質的に剛性の容部の入れ子状に重ねられた垂直積重ねを可能にするように、取外し可能または他の方法で構成される上部を有し、当該容器の該容部が、実質的に矩形の平行六面体構造を有し、該ライナは、厚さが約０．００５インチ〜約０．０３０インチの範囲であるバージン高分子フィルム材料から形成され、前記ライナは、液体が充填されるとヘッドスペースがゼロの構造を有し、前記ライナは、該ライナへの流体の出し入れのために該ライナのコネクタとの結合を提供する少なくとも１つのポートと、該ポートに結合されたキャップとを備え、前記容部が実質的に剛性の高分子材料から形成される、容器。
【請求項３９】
前記ライナは、液体試薬で充填される、請求項３８に記載の容器。
【請求項４０】
前記液体試薬は、半導体製造用液体試薬を含む、請求項３９に記載の容器。
【請求項４１】
前記半導体製造用液体試薬は、化学機械平坦化用組成物を含む、請求項４０に記載の容器。
【請求項４２】
容器に入った液体をエンドユーザ市場に供給し、該容器からの該液体の消費の後に該容器を再加工する方法であって、
（ａ）各々容器がオーバーパックと、該液体を収納し液体を出し入れするためのポートを有するライナならびに該ポートに結合されたキャップおよびディップチューブを含む接液部品と、を備えた該容器を製造するステップと、
（ｂ）液体充填容器を提供するように、該容器に液体を充填するステップと、
（ｃ）該エンドユーザ市場におけるエンドユーザに該液体充填容器を輸送するステップであって、該エンドユーザが該容器内の該液体を使用して空の容器をもたらすものである、ステップと、
（ｄ）該空の容器の少なくとも該オーバーパックを再加工施設に輸送し、該空の容器の該オーバーパックを含む再加工された容器を形成するように、該空の容器を処理するステップと、
（ｅ）該再加工された容器を液体充填施設に輸送し、液体充填再加工容器を提供するように、該再加工された容器に液体を充填するステップと、
（ｆ）ステップ（ｃ）、（ｄ）および（ｅ）を順に繰り返すステップと、
を含む方法。
【請求項４３】
前記再加工施設において前記接液部品の少なくともいくつかを再利用するステップを含む、請求項４２に記載の方法。
【請求項４４】
再利用される接液部品が、前記容器のキャップとディップチューブとを含む、請求項４３に記載の方法。
【請求項４５】
前記再利用される接液部品は、前記容器の前記ライナをさらに含む、請求項４３に記載の方法。
【請求項４６】
前記再加工された容器は、使い捨てライナを含む、請求項４２に記載の方法。
【請求項４７】
前記液体充填施設と前記再加工施設とが、単体事業所企業の統合された作業である、請求項４２に記載の方法。
【請求項４８】
前記空の容器の少なくとも前記オーバーパックを前記再加工施設に輸送する前記ステップは、該空の容器の該オーバーパックのみを該再加工施設に輸送することを含む、請求項４２に記載の方法。
【請求項４９】
前記空の容器の少なくとも前記オーバーパックを前記再加工施設に輸送する前記ステップは、該空の容器の該オーバーパックと前記接液部品の少なくともいくつかとを該再加工施設に輸送することを含む、請求項４２に記載の方法。
【請求項５０】
前記空の容器の少なくとも前記オーバーパックを前記再加工施設に輸送する前記ステップは、該空の容器の該オーバーパックと該接液部品のすべてとを該再加工施設に輸送することを含む、請求項４２に記載の方法。
【請求項５１】
前記空の容器の少なくとも前記オーバーパックを処理して該空の容器の該オーバーパックを含む再加工された容器を形成する前記ステップは、該空の容器を該オーバーパックから該空の容器の前記接液部品を取り除くように処理するステップと、該接液部品を少なくともその一部が再利用される交換接液部品と交換することにより該再加工された容器を生成するステップと、を含む、請求項４２に記載の方法。
【請求項５２】
前記空の容器の少なくとも前記オーバーパックを処理して該空の容器の該オーバーパックを含む再加工された容器を形成する前記ステップは、少なくとも一部が再利用される接液部品により該再加工された容器を加工するステップを含む、請求項４２に記載の方法。
【請求項５３】
前記液体充填施設と前記再加工施設とが、地理的に離れた作業である、請求項４２に記載の方法。
【請求項５４】
前記液体の前記エンドユーザによる前記使用が、半導体製造作業を含む、請求項４２に記載の方法。
【請求項５５】
前記液体は、半導体製造用試薬を含む、請求項５４に記載の方法。
【請求項５６】
前記半導体製造用試薬は、酸、溶剤、塩基、フォトレジスト、ドーパント、有機金属試薬、シリコン原料化合物および化学機械平坦化用組成物からなる群から選択される材料を含む、請求項５５に記載の方法。
【請求項５７】
前記オーバーパックは、入れ子状に重ねられたスタック構造で前記再加工施設に輸送される、請求項４２に記載の方法。
【請求項５８】
前記オーバーパックは、正方形または矩形断面を有する、請求項４２に記載の方法。
【請求項５９】
前記オーバーパックは、円形断面を有する、請求項４２に記載の方法。
【請求項６０】
前記接液部品は、３次元の頭部閉鎖ライナを備える、請求項４２に記載の方法。
【請求項６１】
液体の貯蔵及び分配のためのバッグインドラム容器であって、
内部容積を有し、実質的に剛性のオーバーパックと、
前記内部容積に取り付けられ、液体を充填することができる、可撓性フィルム材料からなる３次元の閉鎖ライナと、
を備え、
前記オーバーパックと前記ライナはそれぞれ垂直に細長く、かつ、前記ライナは、前記内部容積に取り付けられたときに、前記ライナの上方端部に中心ポート開口を有する、容器。
【請求項６２】
前記オーバーパックは、実質的に矩形の平行六面体構造を有する、請求項６１に記載の容器。
【請求項６３】
前記オーバーパックは、前記実質的に矩形の平行六面体構造を画定する壁及び床を備える、請求項６２に記載の容器。
【請求項６４】
前記ライナは、該ライナに収納される液体に汚染物質を導入する可能性のある添加物を含まない高分子フィルム材料から形成される、請求項６３に記載の容器。
【請求項６５】
前記高分子フィルム材料は、ポリエチレン、ポリテトラフルオロエチレン、ポリプロピレン、ポリウレタン、ポリ塩化ビニリデン、ポリ塩化ビニル、ポリアセタール、ポリスチレン、ポリアクリロニトリル及びポリブチレンからなる群から選択される、請求項６４に記載の容器。
【請求項６６】
前記高分子フィルム材料は、添加物を含まない、請求項６５に記載の容器。
【請求項６７】
前記高分子フィルム材料は、ポリエチレンフィルム材料を含む、請求項６６に記載の容器。
【請求項６８】
前記ライナは、液体が充填されるとヘッドスペースがゼロの構造を有する、請求項６４に記載の容器。
【請求項６９】
前記ライナの厚さが約０.１２５インチ未満である、請求項６４に記載の容器。
【請求項７０】
前記ライナの厚さが、約０.００５インチ〜約０.０３０インチの範囲である、請求項６４に記載の容器。
【請求項７１】
前記ライナは前記オーバーパックから取外し可能であり、前記オーバーパックは、複数の容器を含む垂直に積み重ねられたアレイを形成するように他の同様の容器と垂直に積み重ね可能であり、前記垂直に積み重ねられたアレイの高さが、該アレイの個々の容器の高さの合計より低い、請求項６１に記載の容器。
【請求項７２】
前記オーバーパックは、対応する容器の連結部材と嵌合係合可能である連結部材を有し、それにより複数の容器が互いに横方向に連結されて、横方向に延在する容器のアレイを構成することができる、請求項７１に記載の容器。
【請求項７３】
前記ライナの中に液体をさらに含む、請求項６４に記載の容器。
【請求項７４】
前記ライナは、ヘッドスペースがゼロの構造を有する、請求項７３に記載の容器。
【請求項７５】
前記液体は、半導体製造用の試薬を含む、請求項７４に記載の容器。
【請求項７６】
前記液体は、化学機械平坦化用組成物を含む、請求項７５に記載の容器。
【請求項７７】
前記ライナは、さらに攪拌要素を含む、請求項７５に記載の容器。
【請求項７８】
前記攪拌要素は、当該容器の外部で遠隔に作動可能である、請求項７７に記載の容器。
【請求項７９】
前記攪拌要素は、磁気攪拌要素を含む、請求項７８に記載の容器。
【請求項８０】
前記オーバーパックは、対向して面する前壁及び後壁と、対向して面する側壁と、床部材と、を有する容部を備え、前記前壁、後壁及び側壁が、下方にかつ内部方向にテーパ加工される、請求項６４に記載の容器。
【請求項８１】
前記ライナは、ポリテトラフルオロエチレンフィルムを含む材料から形成される、請求項６１に記載の容器。
【請求項８２】
液体の貯蔵及び分配するためのバッグインドラム容器であって、
内部容積を有し、実質的に剛性のオーバーパックと、
前記内部容積に取り付けられ、液体を充填することができる、可撓性フィルム材料からなる３次元の閉鎖ライナと、
を備え、
前記ライナは、前記内部容積に取り付けられたときに、該ライナの上部に位置する中心開口と、前記オーバーパックと協働的に結合して前記内部容積を密閉するように構成される蓋と、前記密閉された内部容積と連通し、該密閉された内部容積にガスを導入して、分配操作中に前記ライナに対して圧力を加えるためのガス供給路とを有し、前記中心開口は、前記分配操作中に液体を通して流すための分配ヘッドとディップチューブとを備える分配アセンブリと嵌合するように構成される、バッグインドラム容器。
【請求項８３】
前記オーバーパックと前記ライナはそれぞれ垂直に細長く、かつ、前記オーバーパックは矩形の平行六面体構造又は略円筒形構造を有する、請求項８２に記載の容器。
【請求項８４】
前記ライナは、ポリテトラフルオロエチレンフィルムを含む材料から形成される、請求項８２に記載の容器。
【請求項８５】
前記ライナ中に半導体製造用の試薬を含む、請求項８２に記載の容器。
【請求項８６】
液体の貯蔵及び分配するためのバッグインドラム容器であって、
内部容積を有し、実質的に剛性のオーバーパックと、
可撓性フィルム材料からなり、前記内部容積に取り付けられ、ヘッドスペースがゼロの構造を有し、かつ、半導体製造用の試薬を含む液体を含有する、３次元の閉鎖ライナと、
前記ライナの上方端部に配された液体分配ポートと、
前記ポートに接合されたキャップと、
を備えた、バックインドラム容器。
【請求項８７】
可撓性フィルムからなる３次元の頭部閉鎖ライナを備える、容器ライナ。
【請求項８８】
前記ライナは、液体を貯蔵し分配するための容器システムに使用されるように構成されており、前記容器システムは、内部容積を有し、実質的に剛性のオーバーパックを備える、請求項８７に記載の容器ライナ。
【請求項８９】
前記ライナは、バージン高分子フィルム材料から形成される、請求項８７に記載の容器ライナ。
【請求項９０】
前記バージン高分子フィルム材料の厚さは、約０.００５インチ〜約０.０３０インチの範囲である、請求項８９に記載の容器ライナ。
【請求項９１】
前記容器ライナは、少なくとも一つのポート開口を備える、請求項８７に記載の容器ライナ。
【請求項９２】
前記ポート開口は、前記ライナをコネクタに接合するように構成される、請求項９１に記載の容器ライナ。
【請求項９３】
前記ポート開口に接合されたキャップをさらに備える、請求項９１に記載の容器ライナ。
【請求項９４】
前記ポート開口に接合され、かつ、前記ライナの中に配されたディップチューブをさらに備える、請求項９１に記載の容器ライナ。
【請求項９５】
前記ライナの中に液体をさらに備える、請求項８７に記載の容器ライナ。
【請求項９６】
前記液体が、高純度液体である、請求項９７に記載の容器ライナ。
【請求項９７】
前記液体が、９９.９重量パーセントを上回る純度を有する、請求項９６に記載の容器ライナ。
【請求項９８】
前記液体が、半導体製造用の液体試薬を含む、請求項９７に記載の容器ライナ。
【請求項９９】
前記半導体製造用試薬は、酸、溶剤、塩基、フォトレジスト、ドーパント、有機金属試薬、シリコン原料化合物及び化学機械平坦化用組成物からなる群から選択される材料を含む、請求項９８に記載の方法。
【請求項１００】
前記ライナは、管状素材から形成される、請求項８７に記載の容器ライナ。
【請求項１０１】
前記管状素材は、ブロー管状高分子フィルム材料を備える、請求項１００に記載の容器ライナ。
【請求項１０２】
前記ライナには、その側部に沿ってヒートシール溶接した合わせ目がない、請求項８７に記載の容器ライナ。
【請求項１０３】
プラスチック添加物を含まない、請求項８７に記載の容器ライナ。
【請求項１０４】
紫外線安定剤、可塑剤、抗酸化剤、充填剤、増量剤、顔料及び処理剤を含まない、請求項８７に記載の容器ライナ。
【請求項１０５】
前記ライナは、バージンポリエチレンフィルムおよびバージンポリテトラフルオロエチレン（ＰＴＦＥ）フィルムからなる群から選択される実質的に純粋なフィルムから作られる、請求項８７に記載の容器ライナ。
【請求項１０６】
内部容積を有し、実質的に剛性のオーバーパックと、前記内部容積の中に配された請求項１に記載の容器ライナとを備える、液体の貯蔵及び分配のための容器システム。